(57)【要約】【課題】洗濯機の操作表示装置として、視認性の優れた液晶パネルの表示装置を提供すること。【解決手段】操作ボタン部３０および表示部３２を有する操作表示パネル２２と、洗濯機の運転を制御する制御装置２３と、前記操作表示パネル２２の下方に配され前記操作ボタン部３０の対応位置に配されたスイッチ２８と、洗濯、すすぎ、脱水の設定条件および残時間等を表示する液晶パネル２７とを備え、前記制御装置２３は、前記液晶パネル２７の印加電源電圧を調節できる電圧調整部４１を有し、前記操作表示パネル２２の操作ボタン部３０のスイッチ２８を操作することにより液晶パネル２７への印加電源電圧を自由に設定可能な構成としたので、液晶パネル２７の見る位置及び見る高さによって液晶パネル２７に表示させた文字や絵等のコントラストを最適値に調整することができる。【選択図】図２
2008073065.tif 000002
【特許請求の範囲】
【請求項１】
操作ボタン部および表示部を有する操作表示パネルと、洗濯機の運転を制御する制御装置と、前記操作表示パネルの下方に配され前記操作ボタン部の対応位置に配されたスイッチと、前記表示部の対応位置に配された複数個の表示素子および、洗濯、すすぎ、脱水の設定条件および残時間等を表示する液晶パネルとを備え、前記制御装置は、前記液晶パネルの印加電源電圧を調節できる電圧調整部を有し、前記操作表示パネルの操作ボタン部のスイッチを操作することにより前記液晶パネルへの印加電源電圧を自由に設定可能な構成とした洗濯機の操作表示装置。
【請求項２】
液晶パネルは、操作ボタン部によりスイッチ操作を行い、設定した前記液晶パネルへの印加電源電圧レベルを表示する構成とした請求項１記載の洗濯機の操作表示装置。
【請求項３】
操作パネルは、制御装置の液晶パネルへの印加電圧調整専用スイッチを操作する操作ボタン部を、１個または複数個設けた請求項１または２に記載の洗濯機の操作表示装置。
【発明の詳細な説明】
【技術分野】
【０００１】
本発明は操作ボタン部の操作に対応して表示する液晶ディスプレイ部を搭載した洗濯機の操作表示装置に関するものである。
【背景技術】
【０００２】
従来、この種の洗濯機の操作表示装置は、液晶パネルに洗濯運転コースの各種メニューや運転残り時間等の内容を表示するものであった（例えば、特許文献１参照）。
【０００３】
図４は、従来の洗濯機の操作表示装置の要部上面図を示すもので、以下その構成について説明する。操作表示パネル１は、洗濯機の洗濯槽（図示せず）を開閉自在に覆う蓋２の前方（手前側）に取り付けており、この操作表示パネル１の上面にシート材で構成されたパネルシート３を貼り付けている。このパネルシート３に、操作部４、５、コース表示部６ａ、６ｂ、６ｃ、液晶パネル８などを設けている。
【０００４】
操作部４は洗濯動作を開始するとき操作するものであり、操作部５は、所定の運転コースを選択するとき操作するものである。
【０００５】
コース表示部６ａ、６ｂ、６ｃ及び液晶パネル８は、操作部５により所定の運転コースを選択すると点灯し、液晶パネル８には各運転コースの残時間や洗剤投入量等を表示する。
【０００６】
電源入りスイッチ７ａは、洗濯機本体に電源を投入するものであり、電源切りスイッチ７ｂは、洗濯機本体の電源を遮断するものである。
【特許文献１】特開２００１−２９３２８３号公報
【発明の開示】
【発明が解決しようとする課題】
【０００７】
しかしながら、このような従来の洗濯機の操作表示装置の構成では、液晶パネルに印加される電源電圧が一定で変更することができない構成が通常であり、液晶パネルの仕様によっては、液晶パネルの視野角が狭く、液晶パネルの見る位置及び見る高さによって、表示させた文字や絵等のコントラストに違いがあるという課題を有していた。
【０００８】
本発明は、前記従来の課題を解決するもので、液晶パネルの表示を最適なコントラストに設定することが可能な構成として、視認性の優れた洗濯機の操作表示装置を提供することを目的とする。
【課題を解決するための手段】
【０００９】
前記従来の課題を解決するために、洗濯機の運転を制御する制御装置は、液晶パネルの印加電源電圧を調節できる電圧調整部を有し、操作表示パネルの操作ボタン部のスイッチを操作することにより液晶パネルへの印加電源電圧を自由に設定可能な構成としたものである。
【００１０】
これによって、液晶パネル表示させた文字や絵等のコントラストを薄くしたい場合、液晶パネルに印加する電源電圧を下降させ、逆にコントラストを濃くしたい場合、液晶パネルに印加する電源電圧を上昇させることで、液晶パネルのコントラストを最適値に調整することができる。
【発明の効果】
【００１１】
本発明の洗濯機の操作表示装置は、視認性の優れた液晶パネル表示を実現できる。
【発明を実施するための最良の形態】
【００１２】
第１の発明は、操作ボタン部および表示部と有する操作表示パネルと、洗濯機の運転を制御する制御装置と、前記操作表示パネルの下方に配され前記操作ボタン部の対応位置に配されたスイッチと、前記表示部の対応位置に配された複数個の表示素子および、洗濯、すすぎ、脱水の設定条件および残時間等を表示する液晶パネルとを備え、前記制御装置は、前記液晶パネルの印加電源電圧を調節できる電圧調整部を有し、前記操作表示パネルの操作ボタン部のスイッチを操作することにより液晶パネルへの印加電源電圧を自由に設定可能な構成としたことにより、操作表示パネルの操作ボタン部のスイッチを操作することにより制御装置の中の電圧調整部で電圧調整を行い、液晶パネル表示させた文字や絵等のコントラストを薄くしたい場合、液晶パネルに印加する電源電圧を下降させ、逆にコントラストを濃くしたい場合、液晶パネルに印加する電源電圧を上昇させることで液晶パネルのコントラストを最適値に調整することができ、視認性の優れた液晶パネル表示を構成できる。
【００１３】
第２の発明は、特に、第１の発明の液晶パネルは、操作ボタン部によりスイッチ操作を行い、設定した液晶パネルへの印加電源電圧レベルを表示する構成としたことにより、液晶パネルのコントラストの濃さレベルを表示することで、使用者が常に現在の印加電源電圧レベルで表示したコントラスト値を認識することができる。
【００１４】
第３の発明は、特に、第１または第２の発明の操作パネルは、制御装置の液晶パネルへの印加電圧調整専用スイッチを操作する操作ボタン部を、１個または複数個設けたことにより、操作パネル上に設けた専用スイッチにより液晶パネルのコントラスト値を調整することとなり、他のスイッチと兼用してコントラスト値を調整している場合と比較して使用者の操作性を向上させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における洗濯機の操作表示装置の要部上面図、図２は同洗濯機の操作表示装置の図１のＡ−Ａ断面図、図３は同洗濯機の制御装置のブロック回路図を示すものである。
【００１７】
図１において、洗濯機の操作表示面全体を構成するパネルカバー９は、プラスチック成形部材にて構成されている。
【００１８】
パネルカバー９には、洗濯機に電源を投入する際および電源を遮断する際に操作する電源入り切りスイッチ１１、洗濯等の動作をスタートあるいは一時停止する際に操作するスタート・一時停止スイッチ１２、洗濯の運転時間を設定する際に操作する洗濯時間設定スイッチ１３ａ、すすぎの回数あるいはすすぎの運転時間を設定する際に操作するすすぎ設定スイッチ１３ｂ、脱水の運転時間を設定する際に操作する脱水時間設定スイッチ１３ｃ、脱水時の洗濯兼脱水槽（図示せず）回転速度を設定する際に操作する脱水回転速度設定スイッチ１３ｄ、予約運転をする際に操作する予約運転設定スイッチ１３ｅ、洗濯およびすすぎ時の洗濯水およびすすぎ水の温度を設定する際に操作する水温設定スイッチ１４ａ、決められた複数の洗濯コースから１つの洗濯コースを選択する際に操作するコース設定スイッチ１４ｂ、洗濯およびすすぎ時の洗濯水およびすすぎ水の水位を設定する際に操作する水位設定スイッチ１４ｃ等を配置している。
【００１９】
また、上記各スイッチの操作に応じてその設定状態を使用者に知らしめるに、水温設定スイッチ１４ａにて設定された洗濯水およびすすぎ水の温度を表示する水温設定表示部１８ａ、コース設定スイッチ１４ｂにて選択された洗濯コースを表示するコース設定表示部１８ｂ、水位設定スイッチ１４ｃにて設定された洗濯水およびすすぎ水の水位を表示する水位表示部１８ｃ、予約運転設定スイッチ１３ｅにて予約が設定されると予約の設定を表示する予約運転設定表示部１８ｄ等の、ＬＥＤ（発光ダイオード）による表示部を配置する。
【００２０】
液晶ディスプレイ部１６は、洗濯時間を表示する洗濯時間表示部１７ａ、すすぎの回数あるいはすすぎの時間を表示するすすぎ表示部１７ｂ、脱水の時間を表示する脱水時間表示部１７ｃ、脱水時の洗濯兼脱水槽の回転速度を表示する脱水回転速度表示部１７ｄ、洗濯の残時間あるいは予約運転の終了時間を表示する時間表示部１７ｅ、液晶のコントラストレベルを表示するコントラスト表示部１７ｆ等を構成している。
【００２１】
さらに、パネルカバー９には液晶ディスプレイ部１６のコントラストを濃くするコントラスト（＋）スイッチ１５ａと、液晶ディスプレイ部１６のコントラストを薄くするコントラスト（−）スイッチ１５ｂ等を配置する。
【００２２】
上記の液晶ディスプレイ部１６や、ＬＥＤで表示された水温設定表示部１８ａ、コース設定表示部１８ｂ、水位表示部１８ｃおよび予約運転設定表示部１８ｄ等の表示部分等は、パネルカバー９の裏面内方に構成されており、パネルカバー９に一体形成された横長矩形形状の透明部であるパネルカバー透明部１９を介して透過視認する構成である。
【００２３】
図２の断面図において、洗濯機の上面前方に配したパネルカバー９は、その断面を緩やかな凸形状に形成するとともに、表面にフィルム２０をインサート成型したプラスチック成形部材にて構成する。
【００２４】
前記凸形状部に透明窓２１を一体形成し、この透明窓２１は、例えば、パネルカバー９を透明プラスチック成形材で、フィルム２０を透明シートで構成し、このフィルム２０の透明部分以外を塗装加工やプリント印刷により被覆することにより構成し、この透明窓２１を通じて内部の液晶パネル２７を視認することができる。
【００２５】
パネルカバー９内方には、操作表示パネル２２を配し、かつこの操作表示パネル２２の裏面側に制御装置２３を内設した制御装置ケース２４を配し、制御装置ケース２４は、ねじ２５により操作表示パネル２２裏面に一体形成したボス部２６に固定する。
【００２６】
制御装置２３は、洗濯機の運転を制御し、液晶パネル２７、スイッチ２８、マイコン（図示せず）等を装着するとともに、制御装置ケース２４内部にポリウレタン樹脂等で構成された防湿材からなる防湿ポッティング剤２９を充填させて、制御装置２３の表裏に防湿処理が施されている。
【００２７】
操作表示パネル２２に上下動可能に一体形成された操作ボタン部３０は、パネルカバー９の透明窓２１下方前方近傍に形成したスリットより、パネルカバー９の上面に穿設せしめ、インサート成型されたフィルム２０に凸状に形成した操作部３１を押圧することより制御装置２３に装着したスイッチ２８に信号が入力される。
【００２８】
操作部３１の近傍には、図１にて示した電源入り切りスイッチ１１、スタート・一時停止スイッチ１２、洗濯時間設定スイッチ１３ａ、すすぎ設定スイッチ１３ｂ、脱水時間設定スイッチ１３ｃ、脱水回転速度設定スイッチ２３ｄ、予約運転設定スイッチ２３ｅ、水温設定スイッチ２４ａ、コース設定スイッチ２４ｂ、および水位設定スイッチ１４ｃ等の操作部の印刷表示を施す。
【００２９】
操作表示パネル２２の略中央部のパネルカバー９の透明窓２１の対応位置は、凹部２２ａを形成し、凹部２２ａの底面の表示部３２には開口部３３を形成し、この開口部３３を覆うように、かつ、開口部３３にパネルシート３４を対応させつつ、表示部３２にパネルシート３４を貼り付ける。
【００３０】
制御装置２３には、液晶パネル２７を装着し、この液晶パネル２７を上方から覆うように断面が略コ字状をした下面開放の箱体形状をなし透明材料で構成された透明ケース３５を配し、その透明ケース３５の開口部下端は、制御装置２３の上面に当接している。
【００３１】
パネルカバー９の透明窓２１の開口面積は、パネルシート３４の外形よりも小さく形成し、パネルシート３４を操作表示パネル２２の表示部３２に貼り付ける際、その外周部の隙間を見えにくいようにして美観を高めている。
【００３２】
図３の制御装置のブロック回路図において、商用電源３７から供給された１００Ｖ電源がＡＣ電源回路３８に印加され、ＤＣ電源回路３９にて降圧、整流されたＤＣ電圧に変換されたのち２方向に分岐する。
【００３３】
分岐された回路の一方は、液晶パネル電源４０に印加され、安定化したのち電圧調整回路４１では制御回路４２の信号の切り替えにより０〜５Ｖの電圧を任意に取出すことを可能とし、その任意のＤＣ電圧を液晶パネル２７に印加することと制御回路４２に接続された液晶パネルドライバー回路４３にて表示させるセグメントを指示することで液晶パネル２７を点灯表示させることができる。
【００３４】
また、ＤＣ電源回路３９から分岐された他方は、制御電源４４に印加され、安定化したのち制御回路４２に印加し、ＬＥＤ４５等を制御する。
【００３５】
以上のように構成された洗濯機の操作表示装置について、以下その動作、作用を説明する。
【００３６】
まず、使用者は、液晶パネル２７に表示させた文字や絵等のコントラストを薄くしたい場合、操作表示パネル２２のコントラスト（−）スイッチ１５ｂを押すことで液晶パネル２７に印加する電源電圧を電圧調整回路４１にて下降させ、逆にコントラストを濃くしたい場合、操作表示パネル２２のコントラスト（＋）スイッチ１５ａを押すことで液晶パネル２７に印加する電源電圧を電圧調整回路４１にて上昇させ、液晶パネル２７のコントラストを最適値に調整することができる。
【００３７】
以上のように液晶パネル２７に印加する電源電圧を調整することで、洗濯機の設置場所や使用者の見る位置及び見る高さによって最適なコントラストに任意設定することができる。
【００３８】
また、本実施の形態では、複数個のスイッチ１５ａ、１５ｂの操作により設定した印加電源電圧レベルを、液晶パネル２７のコントラストの濃さレベル１７ｆで表示する構成とすることで、使用者の操作性を向上させ、常に現在の印加電源電圧レベルで表示したコントラスト値を認識することができる。
【００３９】
また、本実施の形態では、操作パネル上に専用スイッチとしてコントラスト（＋）スイッチ１５ａ、とコントラスト（−）スイッチ１５ｂの複数個を設けたが、１個のスイッチで印加電源電圧を順次切り替わるように設定する構成も可能である。
【００４０】
あるいは、操作パネル上に専用スイッチを設けず、コントラストを調整する場合のみ、他のスイッチと兼用させたスイッチを押すことでコントラストを調整する構成とすることもでき、こうすることでスイッチの数を減らし、全体のデザインを簡素にして見やすい構成とすることもできる。
【産業上の利用可能性】
【００４１】
以上のように、本発明にかかる洗濯機の操作表示装置は、液晶パネルに印加される電源電圧を自由に設定することができ、洗濯機の設置場所や液晶パネルの見る位置及び見る高さによって最適なコントラストに設定することが可能となるので、液晶パネルを搭載した各種機器に適用できる。
【図面の簡単な説明】
【００４２】
【図１】本発明の実施の形態１における洗濯機の操作表示装置の要部上面図
【図２】同洗濯機の操作表示装置の図１のＡ−Ａ断面図
【図３】同洗濯機の制御装置のブロック回路図
【図４】従来の洗濯機の操作表示装置の要部上面図
【符号の説明】
【００４３】
１５ａ  印加電圧調整専用スイッチ（コントラスト（＋））
１５ｂ  印加電圧調整専用スイッチ（コントラスト（−））
２２  操作表示パネル
２３  制御装置
２７  液晶パネル
２８  スイッチ
３０  操作ボタン部
３２  表示部
４１  電圧調整部（電圧調整回路）
４５  表示素子（ＬＥＤ）
【図３】
2008073065.tif 000003
【図１】
2008073065.tif 000004
【図２】
2008073065.tif 000005
【図４】
2008073065.tif 000006